(57)【要約】【課題】ペットボトル等の容器の口元首部へ吊り下げておき、必要時、容器から容易に分離させて使用することができる容器吊り下げ用充填包装体を提供する。【解決手段】プラスチックフィルム等の包材により所定に製袋して得た外被体１と、この外被体１内へ密封包装された内容物ｂとを有する容器吊り下げ用充填包装体Ａにあって、外被体１は、本体３と、この本体３の上部へ接続部材６により連接して容器ｂにおける口元首部ｂ１に引っ掛けて吊り下げる係止部材４と、接続部材において本体と係止部材とを切り離す方向に形成した切除手段５とを備えさせる。【選択図】    図１
0003101997.tif 000002
【実用新案登録請求の範囲】
【請求項１】
プラスチックフィルム等の包材により所定に製袋して得た外被体と、この外被体内へ密封包装された内容物とを有する容器吊り下げ用充填包装体にあって、
前記外被体は、本体と、この本体の上部へ接続部材により連接して容器における口元首部に引っ掛けて吊り下げる係止部材と、前記接続部材において前記本体と前記係止部材とを切り離す方向に形成した切除手段とを備えさせたことを特徴とする容器吊り下げ用充填包装体。
【請求項２】
プラスチックフィルム等の包材により所定に製袋して得た外被体と、この外被体内へ密封包装された内容物とを有する容器吊り下げ用充填包装体にあって、
前記外被体は、本体と、この本体の上部へ接続部材により連接して容器における口元首部に引っ掛けて吊り下げる係止部材と、前記接続部材において前記本体と前記係止部材とを切り離す方向に形成した切除手段とを備えさせ、
前記本体と前記係止部材との間に設けた接続部材に、前記本体内の内容物が注出される注出路を該本体内と連通させて設けてあり、
該注出路の注出先端部は、前記接続部材において前記切除手段により切り取られる切り取り口より前記係止部材側に突出させて設け、かつ、この注出先端部は前記接続部材により外部への注出が閉塞されたことを特徴とする容器吊り下げ用充填包装体。
【考案の詳細な説明】
【技術分野】
【０００１】
本考案は、ペットボトル等の容器の口元首部へ吊り下げておき、必要時、容器から容易に分離させて使用することができる容器吊り下げ用充填包装体に関する。
【背景技術】
【０００２】
現今、ペットボトル等の容器入り食品の販売促進用に、簡単な生活小物などをこの容器の適所に接着剤や接着テープなどにより取り付けて、これを店頭などに陳列されている。
若しくは、ペットボトル等の首部に掛かるような大きさの、ベルト部を設けた袋などに再封し、宣伝物などとして供与している。
【０００３】
このものは、前記小物を使用しようとしたとき、該小物が容易に容器から外れなかったり、あるいは、小物が液状物である場合、この液状物を包装した包装袋を容器から引き剥がしたとき破れて、前記液状物が漏れ出て使用できないことがあった。
更に、ベルト部を設けたものでは、ゴミの増加につながる等本来の宣伝目的に至るまでの行為が面倒などの不具合があった。
【考案の開示】
【考案が解決しようとする課題】
【０００４】
本考案は、前記した問題点を解決するためになされたもので、プラスチックフィルム等の包材により所定に製袋して得た外被体と、この外被体内へ密封包装された内容物とを有する容器吊り下げ用充填包装体にあって、外被体は、本体と、この本体の上部へ接続部材により連接して容器における口元首部に引っ掛けて吊り下げる係止部材と、接続部材において本体と係止部材とを切り離す方向に形成した切除手段とを備えさせることにより、ペットボトル等の容器の口元首部へ吊り下げておき、必要時、容器から容易に分離させて使用することができる容器吊り下げ用充填包装体を提供することを目的としている。
【課題を解決するための手段】
【０００５】
前記した目的を達成するための本考案の手段は、
プラスチックフィルム等の包材により所定に製袋して得た外被体と、この外被体内へ密封包装された内容物とを有する容器吊り下げ用充填包装体にあって、
前記外被体は、本体と、この本体の上部へ接続部材により連接して容器における口元首部に引っ掛けて吊り下げる係止部材と、前記接続部材において前記本体と前記係止部材とを切り離す方向に形成した切除手段とを備えさせた容器吊り下げ用充填包装体の構成にある。
【０００６】
プラスチックフィルム等の包材により所定に製袋して得た外被体と、この外被体内へ密封包装された内容物とを有する容器吊り下げ用充填包装体にあって、
前記外被体は、本体と、この本体の上部へ接続部材により連接して容器における口元首部に引っ掛けて吊り下げる係止部材と、前記接続部材において前記本体と前記係止部材とを切り離す方向に形成した切除手段とを備えさせ、
前記本体と前記係止部材との間に設けた接続部材に、前記本体内の内容物が注出される注出路を該本体内と連通させて設けてあり、
該注出路の注出先端部は、前記接続部材において前記切除手段により切り取られる切り取り口より前記係止部材側に突出させて設け、かつ、この注出先端部は前記接続部材により外部への注出が閉塞された容器吊り下げ用充填包装体の構成にある。
【考案の効果】
【０００７】
本考案は、ペットボトル等の容器の口元首部へ吊り下げておき、必要時、容器から容易に分離させて使用することができると共に、本体を引き裂いたとき、その切り取り口に開口部が形成されて内容物の取り出しを容易にすることができる。
【考案を実施するための最良の形態】
【０００８】
次に、本考案に関する容器吊り下げ用充填包装体の一実施例を図面に基づいて説明する。
図１〜図３においてＡは容器吊り下げ用充填包装体で、液体や流体，粉体などの物品を充填包装した容器ｂ、例えば、ペットボトル等の口元首部ｂ１へ吊り下げて保持させておくもので、プラスチックフィルム等の包材により所定に製袋して得た外被体１と、この外被体１内へ密封包装された内容物２とを有するものである。
なお、この内容物２は、適宜なものが選定し得るもので、例えば、一般家庭等において簡便に用いられる保冷材・宣伝物としてのシャンプーや化粧クリーム，入浴剤などが適している。
【０００９】
前記した外被体１は、本体３と、係止部材４と、切除手段５とよりなるもので、このうち、本体３は、ポリエチレンやポリプロピレンなどのプラスチックフィルムやこれらプラスチックフィルムとアルミ箔などによる複合フィルム等を素材とした包材によって、所定に、例えば、三方袋などに製袋して得たものである。
そして、内容物２を充填した後、ヒートシール等の止着手段１０により閉塞して本体３内を密封包装してある。
【００１０】
前記した係止部材４は、本体３の上部へ接続部材６により連接して容器ｂにおける口元首部ｂ１に引っ掛けて吊り下げるもので、前記した本体３と同効質の素材により該本体３と接続部材６を介して一体的に成形してある。
そして、その形態は、口元首部ｂ１へ容易に取り付けられ、しかも確実に保持されることが必要であって、例えば、図２および図３に示すように、口元首部ｂ１へ挿嵌し得る円形状の係止孔を形成させる。
【００１１】
前記した切除手段５は、接続部材６において本体３と係止部材４とを切り離す方向に形成して、手等により容易に引きちぎって本体３と係止部材４とを分離することができるものである。
その構成は、例えば、図１〜３に示すように、ミシン目加工を施したり、図示してないが、切れ目等のノッチを施したり、他の容易に切除できる手段を採用するものである。
【００１２】
したがって、前記のように構成される本考案実施例の容器吊り下げ用充填包装体Ａは、例えば、店頭等において陳列する商品である容器ｂに対して、その口元首部ｂ１へ、係止部材４を掛けて吊り下げると、図１に示すように、該容器吊り下げ用充填包装体Ａは、その運搬中等において容易で迅速にかつ離脱することなく安定的に保持される。
【００１３】
そして、この包装体Ａにおける本体３を使用するときは、外被体１における接続部材６に設けた切除手段５により、本体３と係止部材４とを分離することで、該本体３は容器ｂから取り外すことができる。
【００１４】
したがって、本体３は、直ちに使用することができるもので、例えば、本体３の内部にゲル状の保冷剤である内容物２を充填した場合には、これを適宜な冷凍庫において冷凍させることで利用できる。
【００１５】
図３においては、本発明実施例に係る容器吊り下げ用充填包装体Ａの他の例を示すもので、プラスチックフィルム等の包材により所定に製袋して得た外被体１と、この外被体１内へ密封包装された内容物ｂとを有する容器吊り下げ用充填包装体Ａにあって、外被体１は、本体３と、この本体３の上部へ接続部材６により連接して容器ｂにおける口元首部ｂ１に引っ掛けて吊り下げる係止部材４と、接続部材６において本体３と係止部材４とを切り離す方向に形成した切除手段５とを備えさせ、本体３と係止部材４との間に設けた接続部材６に、本体３内の内容物ｂが注出される注出路１１を該本体３内と連通させて設けてあり、該注出路１１の注出先端部１１ａは、接続部材６において切除手段５により切り取られる切り取り口（図３において示すＸ−Ｘ線上）より係止部材４側に突出させて設け、かつ、この注出先端部１１ａは接続部材６により外部への注出が閉塞されるように設けたものである。
【００１６】
すなわち、注出路１１の注出先端部１１ａは、本体３の切り取り前は、接続部材６によりそのヒートシールなどの止着手段１０によって漏れ出ないように封緘されているが、切除手段５によって本体３と係止部材４とを分離しようとしたとき、該切除手段５が接続部材６における注出路１１の途中を切り取るので、該注出路１１に開口が形成される。
【００１７】
したがって、切除手段５によって本体３と係止部材４とを分離すれば、この開口により、本体３の内容物２が外部へ注出させることができて、該内容物３を利用することができる。
これにより、使用者はハサミやカッターなどを使うことなく、簡便に内容物ｂを使用することができる。
【図面の簡単な説明】
【００１８】
【図１】本考案に関する容器吊り下げ用充填包装体の一実施例の使用状態を示す斜視図である。
【図２】図１における容器吊り下げ用充填包装体の一部を破断して示す正面図である。
【図３】図１における容器吊り下げ用充填包装体の他の例を示す一部を破断した正面図である。
【符号の説明】
【００１９】
Ａ…容器吊り下げ用充填包装体．ｂ…容器．ｂ１…口元首部．１…外被体．２…内容物．３…本体．４…係止部材．５…切除手段．６…接続部材．
【図１】
0003101997.tif 000003
【図２】
0003101997.tif 000004
【図３】
0003101997.tif 000005